(57)【要約】      （修正有）【課題】電子辞書装置において、辞書の場合に適した機能制限を行う。【解決手段】制限機能を設定する際には、各制限項目とその制限の設定状態とを一覧にした制限項目一覧画面をタッチパネル表示部１６に表示させ、例えば試験中に使用の制限が必要な制限項目を選択的に指定させる。そして、制限モードに設定された状態では、その制限内容に応じた制限表記番号と制限表記色からなる制限モード表示Ｒが行われ、機能制限の解除画面ＧＤから制限モードの解除が指示されると、当該制限モードの解除を意味する電子音が一定時間報音される。【選択図】図８
2015090686.tif 000002
【特許請求の範囲】
【請求項１】
機能制限の対象となる項目の一覧を表示部に表示させる制限項目一覧表示制御手段と、
この制限項目一覧表示制御手段により表示された項目の一覧からユーザ操作に応じて機能制限する項目を選択させる制限項目選択手段と、
この制限項目選択手段により選択された項目の機能が制限された状態で、当該選択された項目の機能が制限されていることを示す表示を行う制限状態表示制御手段と、
ユーザ操作に応じて前記機能が制限された状態を解除する制限状態解除手段と、
この制限状態解除手段により制限を解除する際に一定時間報音する報音手段と、
を備えたことを特徴とする電子辞書装置。
【請求項２】
装置本体を初期状態に再設定する際に操作されるリセット釦と、
前記機能が制限された状態での前記リセット釦の操作を無効にするリセット無効制御手段と、
を備えたことを特徴とする請求項１に記載の電子辞書装置。
【請求項３】
前記表示部に表示された辞書の説明情報の中で指定された単語について、ジャンプ先として表示される辞書一覧の中から指定された辞書を用いて辞書検索するジャンプ辞書検索手段と、
前記機能が制限された状態では、前記ジャンプ辞書検索手段により表示される辞書一覧の中から、前記制限項目選択手段により選択された制限項目の機能に対応した辞書名を削除するジャンプ先辞書制限手段と、
を備えたことを特徴とする請求項１または請求項２に記載の電子辞書装置。
【請求項４】
前記機能制限の対象となる項目には、少なくとも単語帳機能または検索履歴機能が含まれることを特徴とする請求項１ないし請求項３の何れか１項に記載の電子辞書装置。
【請求項５】
ユーザ操作に応じて辞書を指定する辞書指定手段と、
前記機能が制限された状態で、前記辞書指定手段により指定された辞書が前記制限項目選択手段により選択された制限項目の機能に対応した辞書である場合には、当該辞書の使用が制限されていることを報知する制限報知手段と、
を備えたことを特徴とする請求項１ないし請求項４の何れか１項に記載の電子辞書装置。
【請求項６】
前記制限状態表示制御手段は、前記制限項目選択手段により選択された制限項目の機能が制限された状態で、当該制限項目に応じて異なる色の表示を前記表示部に表示させる、
ことを特徴とする請求項１ないし請求項５の何れか１項に記載の電子辞書装置。
【請求項７】
辞書機能を備えた電子機器のコンピュータを制御するためのプログラムであって、
前記コンピュータを、
機能制限の対象となる項目の一覧を表示部に表示させる制限項目一覧表示制御手段、
この制限項目一覧表示制御手段により表示された項目の一覧からユーザ操作に応じて機能制限する項目を選択させる制限項目選択手段、
この制限項目選択手段により選択された項目の機能が制限された状態で、当該選択された項目の機能が制限されていることを示す表示を行う制限状態表示制御手段、
ユーザ操作に応じて前記機能が制限された状態を解除する制限状態解除手段、
この制限状態解除手段により制限を解除する際に一定時間報音する報音手段、
として機能させるためのコンピュータ読み込み可能なプログラム。
【発明の詳細な説明】
【技術分野】
【０００１】
本発明は、辞書の見出し語を検索してその説明情報を表示する電子辞書装置およびその制御プログラムに関する。
【背景技術】
【０００２】
近年、電卓や電子辞書など、便利な電子ツールが小型且つ高機能化され汎用されている。これらの電子ツールは、教育現場での学習にも使用されている。
【０００３】
教育現場では、各科目ともに学生に対する試験があるが、この試験において現在の高機能化された電卓（関数電卓）や電子辞書を使用すると、本来学生自身が考えて答えるべき問題の内容まで、その電子ツールによって導き出すことができてしまう。このため、試験中は前記電子ツールの使用を禁止するのが一般的である。
【０００４】
しかしながら、問題の解答に直接的には影響しない基礎的な部分では、前記電子ツールを使用して効率的に試験を進めるのが望ましい。
【０００５】
そこで、親機電卓と子機電卓を備え、試験中は先生の親機電卓から生徒の子機電卓に対してプロテクト命令を送信して機能の一部を制限するのと共に、当該子機電卓から親機電卓に対してプロテクト完了信号を送信できるようにした電卓システムが考えられている（例えば、特許文献１参照。）。
【０００６】
また、使用を制限する機能の情報（プロテクト情報）を記録したカードを有し、電卓本体にカードをセットすることで、そのプロテクト情報に応じた機能を制限するのと共に、当該機能制限の状態を示すプロテクト画面を表示部に表示して外部に報知できるようにした多機能電卓が考えられている（例えば、特許文献２参照。）。
【先行技術文献】
【特許文献】
【０００７】
【特許文献１】特開２００７−２６４７４５号公報
【特許文献２】特開２００６−３３８２０５号公報
【発明の概要】
【発明が解決しようとする課題】
【０００８】
前記従来の関数電卓では、試験中に機能を制限して報知できるものが考えられているものの、従来の電子辞書では、適切にその機能を制限できるものが考えられていない。
【０００９】
本発明は、このような課題に鑑みなされたもので、辞書の場合に適した機能制限を行うことが可能になる電子辞書装置およびその制御プログラムを提供することを目的とする。
【課題を解決するための手段】
【００１０】
本発明に係る電子辞書装置は、機能制限の対象となる項目の一覧を表示部に表示させる制限項目一覧表示制御手段と、この制限項目一覧表示制御手段により表示された項目の一覧からユーザ操作に応じて機能制限する項目を選択させる制限項目選択手段と、この制限項目選択手段により選択された項目の機能が制限された状態で、当該選択された項目の機能が制限されていることを示す表示を行う制限状態表示制御手段と、ユーザ操作に応じて前記機能が制限された状態を解除する制限状態解除手段と、この制限状態解除手段により制限を解除する際に一定時間報音する報音手段と、を備えたことを特徴としている。
【発明の効果】
【００１１】
本発明によれば、辞書の場合に適した機能制限を行うことが可能になる。
【図面の簡単な説明】
【００１２】
【図１】本発明の実施形態に係る電子辞書装置１０の外観構成を示す斜視図。
【図２】前記電子辞書装置１０の電子回路の構成を示すブロック図。
【図３】前記電子辞書装置１０の記憶装置２２に記憶される制限機能情報２２ｅの内容を示す図。
【図４】前記電子辞書装置１０の全体処理を示すフローチャート。
【図５】前記電子辞書装置１０の全体処理における辞書検索処理を示すフローチャート。
【図６】前記電子辞書装置１０のリセット処理を示すフローチャート。
【図７】前記電子辞書装置１０の全体処理における制限機能の設定に伴う表示動作（その１）を示す図。
【図８】前記電子辞書装置１０の全体処理における制限機能の設定に伴う表示動作（その２）を示す図。
【図９】前記電子辞書装置１０の辞書検索処理に伴う表示動作を示す図。
【発明を実施するための形態】
【００１３】
以下図面により本発明の実施の形態について説明する。
【００１４】
図１は、本発明の実施形態に係る電子辞書装置１０の外観構成を示す斜視図である。
【００１５】
図２は、前記電子辞書装置１０の電子回路の構成を示すブロック図である。
【００１６】
この電子辞書装置１０は、以下に説明する電子辞書専用の携帯機器として構成されるか、辞書機能を備えたタッチパネル式のＰＤＡ(personal digital assistants)、ＰＣ(personal computer)、携帯電話、電子ブック、携帯ゲーム機等として構成される。
【００１７】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面にはキー入力部１４が備えられる。
【００１８】
このキー入力部１４には、検索語の入力など文字を入力するための文字入力キーのほか、各種の辞書を含む機能を選択項目として表記したメニュー画面を表示させるための［Ｍｅｎｕ］キー１４ａ、表示中の単語を直接指定して見出し語検索するジャンプ機能に設定するための［Ｊｕｍｐ］キー１４ｂ、入力された検索語や選択された項目を決定するための［決定］キー１４ｃ、動作状態を１ステップずつ元に戻すための［戻る］キー１４ｄなどが設けられる。前記本体ケース１１の底面には、電池交換時や、本装置が何らかの原因でプログラムが暴走したりしてしまった場合に、動作状態を初期状態に再設定するためのリセット釦１５が設けられる。
【００１９】
また、前記蓋体ケース１２の表面には、そのほぼ全面に渡ってバックライト付きのタッチパネル表示部１６が設けられる。このタッチパネル表示部１６は、ユーザがペンや指等でタッチした位置を検出するタッチ位置検出装置と表示装置が一体となった構造であり、そのバックライト付きカラー液晶表示画面に透明タッチパネルを重ねて構成される。
【００２０】
この電子辞書装置１０は、各種の記録媒体に記録されたプログラムを読み込んで、その読み込んだプログラムによって動作が制御されるコンピュータによって構成され、その電子回路には、ＣＰＵ(central processing unit)２１が備えられる。
【００２１】
このＣＰＵ２１は、記憶装置２２内に予め記憶された装置制御プログラム２２ａ、あるいはＲＯＭカードなどの外部記録媒体２３から記録媒体読み取り部２４を介して前記記憶装置２２に読み込まれた装置制御プログラム２２ａ、あるいはインターネットＮ上のＷｅｂサーバ（この場合はプログラムサーバ）３０から通信部２５を介して前記記憶装置２２に読み込まれた装置制御プログラム２２ａに応じて、ＲＡＭ２６を作業用メモリとして回路各部の動作を制御する。
【００２２】
前記記憶装置２２に記憶された装置制御プログラム２２ａは、キー入力部１４、リセット釦１５、タッチパネル表示部１６からのユーザ操作に応じた入力信号、あるいは通信部２５を介して接続されるインターネットＮ上の各Ｗｅｂサーバ３０…との通信信号に応じて起動される。
【００２３】
このように、前記ＣＰＵ２１には、前記記憶装置２２、記録媒体読み取り部２４、通信部２５、ＲＡＭ２６、キー入力部１４、リセット釦１５、タッチパネル表示部１６が接続される。
【００２４】
前記記憶装置２２には、装置制御プログラム２２ａとして、当該電子辞書装置１０の全体の動作を司るシステムプログラム、通信部２５を介してインターネットＮ上の各Ｗｅｂサーバ３０…や図示しないユーザＰＣ(Personal Computer)などとデータ通信するための通信プログラム等が記憶される。また、前記装置制御プログラム２２ａとして、検索語入力処理、検索語に対応した見出し語検索処理、検索見出し語のプレビュー付き一覧表示処理、選択された見出し語に対応する語義・用例・解説などの各種説明情報の読み出し表示処理、検索履歴[History]の登録・読み出し処理、単語帳[Vocabulary List]の登録・読み出し処理、辞書検索に使用可能な機能の制限処理など、同記憶装置２２内の辞書データベース２２ｂ、検索履歴データベース２２ｃ、単語帳データ２２ｄ、制限機能情報２２ｅに基づく検索・登録・読み出し・表示処理全般を制御するための辞書検索プログラムが記憶される。
【００２５】
前記辞書データベース２２ｂには、例えば、英語系辞書[English]、仏語系辞書[French]、スペイン語系辞書[Spanish]、その他の辞書[Other]が記憶される。当該各言語系辞書には、その言語を見出し語とする英英辞典等の国語辞書［Monolingual dictionary］、英仏辞書のような二か国語対応辞書[Bilingual dictionary]、外来語辞書[Loanword dictionary]が集録される。また、辞書によっては、辞書の付録[Appendix of dictionary]（年表、単位、文法の解説など）が付いている。
【００２６】
前記検索履歴データベース２２ｃには、本装置の辞書検索機能により実際に検索され、対応する説明情報が表示された見出し語が順次蓄積されて記憶される。
【００２７】
前記単語帳データ２２ｄには、本装置の辞書の見出し語のうち、ユーザが学習対象として登録操作したものが記憶される。
【００２８】
図３は、前記電子辞書装置１０の記憶装置２２に記憶される制限機能情報２２ｅの内容を示す図である。
【００２９】
この制限機能情報２２ｅは、例えば学校での試験時に前記電子辞書装置１０で利用を不可とする機能（項目）の情報である。この例では、単語帳／検索履歴機能、二か国語対応辞書、辞書の付録、外来語辞書の４つを制限項目とし、制限される項目の組み合わせの種類によって制限表記番号(Restrict NO)および制限表記色(Restrict Color)が対応付けられて記憶される。
【００３０】
具体的に制限項目の組み合わせの一例を示すと、制限表記番号“１”では、前記４つの制限項目のうち［単語帳／検索履歴］機能だけが制限項目として設定されており、制限表記色“Dark Blue”が設定されている。なおこの［単語帳／検索履歴］機能は、ユーザによって任意の見出し語を予め登録しておくことができるため、全ての制限項目の組み合わせにおいて試験使用不可とされる。
【００３１】
前記ＲＡＭ２６には、表示データメモリ２６ａ、検索語データメモリ２６ｂ、制限モードデータメモリ２６ｃなどが確保される。
【００３２】
前記表示データメモリ２６ａには、前記タッチパネル表示部１６に表示させる表示データがビットマップパターンに展開されて記憶される。
【００３３】
前記検索語データメモリ２６ｂには、検索対象として特定された辞書の検索語入力エリアＳＷにて入力された検索語の文字列が記憶される。
【００３４】
前記制限モードデータメモリ２６ｃには、当該電子辞書装置１０で機能が制限された状態を示すデータが記憶される。つまり、制限モードに設定された状態では、制限項目の組み合わせに対応する制限表記番号“１”〜“８”が記憶され、制限モードが解除された状態で“０”のデータが記憶される。なお、初期状態ではデフォルトで“０”が記憶されている。
【００３５】
そして、この電子辞書装置１０は、通常の辞書機能として、見出し語検索画面ＧＳの検索語入力エリアＳＷに検索語の文字を１文字ずつ入力する毎に、当該入力された文字列と前方一致する見出し語を検索するインクリメンタルサーチ機能、このインクリメンタルサーチに伴い検索語と前方一致した一連の見出し語を抽出すると共にその先頭の見出し語を識別表示Ｈさせて見出し語一覧エリアＬＭに一覧表示させる見出し語一覧表示機能、前記見出し語一覧エリアＬＭに一覧表示された各見出し語のうち前記識別表示Ｈされた見出し語に対応する説明情報をプレビューエリアＰＥに表示させるプレビュー表示機能、前記プレビューエリアＰＥに表示された見出し語の説明情報を全画面に展開して表示させる説明情報表示機能、検索された見出し語を履歴として登録する検索履歴機能、検索された見出し語をユーザ操作に応じて登録する単語帳機能等を有し、加えて、各種の辞書機能を必要に応じて制限する機能制限機能、この機能制限機能によって制限する機能の項目をユーザ操作に応じて選択的に設定する制限機能設定機能、制限モードの設定状態においてその制限内容を前記制限表記番号と制限表記色とで表示する制限内容表示機能、制限モードの解除に伴いそのモード解除を意味する音を出力する制限解除報音機能を有する。
【００３６】
このように構成された電子辞書装置１０は、ＣＰＵ２１が前記装置制御プログラム２２ａ（検索語入力処理、見出し語検索処理、プレビュー付き見出し語一覧表示処理、選択見出し語の説明情報表示処理、検索履歴の登録処理、単語帳の登録処理、機能制限処理、制限機能設定処理、制限内容表示処理、制限解除報音処理等を実行するためのプログラムを含む）に記述された命令に従い回路各部の動作を制御し、ソフトウエアとハードウエアとが協働して動作することにより、以下の動作説明で述べる機能を実現する。
【００３７】
次に、前記構成による電子辞書装置１０の動作について説明する。
【００３８】
図４は、前記電子辞書装置１０の全体処理を示すフローチャートである。
【００３９】
図５は、前記電子辞書装置１０の全体処理における辞書検索処理を示すフローチャートである。
【００４０】
図６は、前記電子辞書装置１０のリセット処理を示すフローチャートである。
【００４１】
図７は、前記電子辞書装置１０の全体処理における制限機能の設定に伴う表示動作（その１）を示す図である。
【００４２】
図８は、前記電子辞書装置１０の全体処理における制限機能の設定に伴う表示動作（その２）を示す図である。
【００４３】
キー入力部１４の［Ｍｅｎｕ］キー１４ａが操作されると、図７（Ａ）に示すように、本装置の機能を選択項目として配列したメニュー画面ＧＭがタッチパネル表示部１６に表示される（ステップＳ１）。このメニュー画面ＧＭでは、ユーザは、英語系辞書[English]、仏語系辞書[French]、スペイン語系辞書[Spanish]、その他の辞書[Other]を選択することができる。また、便利な機能［Useful］を選択することで「複数辞書検索」、「電卓」「制限機能の設定」を実行することができる。
【００４４】
このメニュー画面ＧＭにおいて、便利な機能[Useful]を選択し、その中から制限機能の設定項目[Restrict Function]が選択されると（ステップＳ２（Ｙｅｓ））、前記制限モードデータメモリ２６ｃに記憶されたモードデータが読み出され、現在、制限モードか否かが判断される（ステップＳ３）。
【００４５】
現在、制限モードではないと判断されると（ステップＳ３（Ｎｏ））、図７（Ｂ）に示すように、各制限項目とチェックボックスを一覧にした制限項目一覧画面ＧＲがタッチパネル表示部１６に表示される（ステップＳ４）。
【００４６】
この制限項目一覧画面ＧＲにおいて、単語帳／検索履歴機能の項目[Vocabulary List/History]には、デフォルトで制限の設定がされている。
【００４７】
そして、例えば先生の指導のもと、生徒（ユーザ）により、試験中に使用の制限が必要な項目として[Bilingual dictionary]と[Appendix of dictionary]が選択されたとする。次に［決定］キー１４ｃが操作されると（ステップＳ５，Ｓ６（Ｙｅｓ））、その制限内容が前記制限機能情報２２ｅ（図３参照）と比較され、２番目の項目の組み合わせと一致することが判明し、図７（Ｃ）に示すように、制限機能の設定状態を確認するための制限機能確認画面ＧＣがタッチパネル表示部１６に表示される（ステップＳ７）。
【００４８】
この制限機能確認画面ＧＣでは、前記制限項目一覧画面ＧＲにて今回設定された制限内容がその制限表記番号“２”および制限表記色“青（Blue）”と共に表示され、ユーザ本人は勿論、先生などの第３者によってもその制限内容を容易かつ明確に確認することができる。
【００４９】
前記制限機能確認画面ＧＣにおいて、［戻る］キー１４ｄが操作された場合には（ステップＳ８（Ｙｅｓ））、前記図７（Ｂ）で示した制限項目一覧画面ＧＲでの制限項目の選択操作状態に戻る（ステップＳ５）。ここでユーザは制限項目を設定し直すことができる。
【００５０】
また、前記制限機能確認画面ＧＣにおいて、その制限内容で制限モードに設定したい場合には、ユーザは項目[Yes]を選択して［決定］キー１４ｃを操作する。［決定］キー１４ｃが操作されると（ステップＳ９（Ｙｅｓ））、制限モードデータメモリ２６ｃにデータ“２”がセットされて２番目の制限項目の組み合わせの制限モードに設定される（ステップＳ１０）。そして、図８（Ａ）に示すように、表示画面上部に、設定中の制限モードに対応した制限表記番号“２”を制限表記色“青（Blue）”の帯とともに表した制限モード表示Ｒを表示し、メニュー画面ＧＭに戻る（ステップＳ１１→Ｓ１）。
【００５１】
このように、制限モードに設定された状態では、設定中の制限モードに対応した制限表記番号“２”と制限表記色“Blue”の帯からなる制限モード表示Ｒが常時行われるので、例えばユーザである学生の試験中には、先生等の試験官から本装置が当該試験に応じた制限モードに設定されていることを容易且つ明確に確認することができる。
【００５２】
一方、前記制限モードに設定された状態で、ユーザが現在設定されている制限機能を確認したい場合や、制限を解除したい場合には、メニュー画面ＧＭの便利な機能［Useful］から制限機能の設定項目[Restrict Function]を選択する操作を行う。制限機能の設定項目[Restrict Function]が選択されると（ステップＳ２→Ｓ３（Ｙｅｓ））、図８（Ｂ）に示すように、そのときに設定されている制限項目の一覧表示ＲＬが画面の下半分に表示され、上半分には機能制限の解除画面ＧＤが表示される（ステップＳ１２）。
【００５３】
この機能制限の解除画面ＧＤにおいて、制限解除[Cancel the Restrict-function?]を指示する項目[Yes]が選択されて［決定］キー１４ｃが操作されると（ステップＳ１３（Ｙｅｓ））、制限解除を意味する電子音が一定時間報音される（ステップＳ１４）。
【００５４】
そして、前記制限モードデータメモリ２６ｃに記憶されたモードデータが“０”にセットされ、制限モードが解除される（ステップＳ１５）。
【００５５】
このように、制限モードを解除する場合は、その制限モードの解除を意味する電子音が一定時間報音されるので、例えばユーザである学生が試験中に制限モードを解除すると、直ちに先生等の試験官に発見されることとなる。
【００５６】
一方、前記機能制限の解除画面ＧＤにおいて、その制限項目の一覧表示ＲＬを確認した後に、制限解除[Cancel the Restrict-function?]をしない項目[No]が選択されて［決定］キー１４ｃが操作されると（ステップＳ１３（Ｎｏ））、前記図８（Ａ）で示した制限モード表示Ｒを付加したメニュー画面ＧＭの表示に戻る（ステップＳ１）。
【００５７】
図９は、前記電子辞書装置１０の辞書検索処理に伴う表示動作を示す図である。
【００５８】
前記図８（Ａ）で示したように、制限モード（制限表記番号“２”）に設定されている状態で、メニュー画面ＧＭにおいて英語系辞書の項目[English]が選択されると（ステップＳ１６（Ｙｅｓ））、図５における辞書検索処理が起動され、英英辞書[English-English]と仏英辞書[French-English]とスペイン語−英語辞書[Spanish-English]との英語系辞書一覧が、図９（Ａ）に示すように、表示される（ステップＳＡ）。
【００５９】
この英語系辞書一覧において、図９（Ｂ）に示すように、二か国語対応辞書[Bilingual dictionary]である仏英辞書[French-English]が指定されると（ステップＡ１）、前記制限モードデータの制限機能情報（制限表記番号“２”）２２ｅに従い、制限されている辞書であると判断され（ステップＡ２（Ｙｅｓ））、使用が禁止されている旨のメッセージ“Restricted”ＲＤが表示されユーザに報知される（ステップＡ３）。
【００６０】
そして、前記図９（Ａ）で示した英語系辞書一覧の表示画面おいて、英英辞書[English-English]が指定されると、制限されていない辞書であると判断される（ステップＡ１，Ａ２（Ｎｏ））。すると次に、当該英英辞書は、付録のある辞書であるか否かが判断される（ステップＡ４）。
【００６１】
そして、前記英英辞書について付録のある辞書であると判断されると（ステップＡ４（Ｙｅｓ））、付録データを参照することが禁止されているか判断される（ステップＡ５）。前記制限機能情報（制限表記番号“２”[Appendix of dictionary]）２２ｅに従い、付録の制限ありと判断されると（ステップＡ５（Ｙｅｓ））、付録の使用が制限されていることを示す付録制限表示ＲＡがタッチパネル表示部１６に表示される（ステップＡ６）。図９（Ｃ）は、付録制限表示ＲＡが、検索語入力エリアＳＷと見出し語一覧エリアＬＭと説明情報のプレビューエリアＰＥからなる当該英英辞書の検索語入力画面ＧＳに表示された状態を示している。
【００６２】
なお、前記英英辞書について付録のある辞書ではないと判断された場合は（ステップＡ４（Ｎｏ））、前記付録制限表示ＲＡのない英英辞書の検索語入力画面ＧＳがタッチパネル表示部１６に表示される（ステップＡ７）。
【００６３】
そして、前記英英辞書の検索語入力画面ＧＳにおいて、例えば検索語“proof”に対応した見出し語が検索されると、図９（Ｄ）に示すように、その説明情報表示画面ＧＥがタッチパネル表示部１６に表示される（ステップＡ８）。
【００６４】
この説明情報表示画面ＧＥにおいて、ユーザはジャンプ機能を実行させることができる。ジャンプ機能は、［Ｊｕｍｐ］キー１４ｂを操作してジャンプモードを設定した状態で、調べたい単語を指定して、［決定］キー１４ｃを操作することで実行される。図９（Ｄ）に示すように、ジャンプモードで単語“information”が指定されて、［決定］キー１４ｃが操作されると（ステップＡ９（Ｙｅｓ））、指定の単語の言語を見出し語として有する各種のジャンプ先辞書の中から、現在の制限モードに応じた制限機能情報（制限表記番号“２”）に従い使用が禁止されている辞書名が削除される（ステップＡ１０）。つまり、通常ではジャンプ先の辞書として２ヶ国語対応辞書が含まれる場合でも、制限モードにおいてはそのような辞書はジャンプ先の辞書候補から外されるのである。こうして生成されたジャンプ先の候補となる辞書名の候補リストが、ジャンプ先辞書一覧ＬＪとして表示される（ステップＡ１１）。
【００６５】
そして、このジャンプ先辞書一覧ＬＪにおいて、検索したい辞書が選択されると、当該選択された辞書にジャンプして、前記指定の単語“information”を見出し語とした辞書検索が実行され（ステップＡ１２）、その説明情報表示画面ＧＥが表示される（ステップＡ８）。
【００６６】
一方、ジャンプ機能を実行せずに、単語帳機能または検索履歴機能が選択されると（ステップＡ１３（Ｙｅｓ））、前記制限モードデータの制限機能情報（制限表記番号“２”[Vocabulary List/History]）２２ｅに従い、単語帳機能や検索履歴表示機能が制限されているか判断される（ステップＡ１４)。これらの機能が制限されていると判断されると（ステップＡ１４（Ｙｅｓ））、使用が禁止されている旨のメッセージ“Restricted”ＲＤが表示されユーザに報知される（ステップＡ１５）。
【００６７】
なお、前記単語帳機能または検索履歴機能が選択された際に（ステップＡ１３（Ｙｅｓ））、前記制限モードデータ“０”で制限されていないと判断された場合は（ステップＡ１４（Ｎｏ））、当該選択された単語帳機能または検索履歴機能が実行され、単語帳データ２２ｄまたは検索履歴データベース２２ｃに登録されている見出し語が読み出されて一覧表示される（ステップＡ１６）。
【００６８】
また、他の辞書が選択されて指定された場合には（ステップＡ１７（Ｙｅｓ））、前記同様にステップＡ１からの処理が実行される。
【００６９】
また、［Ｍｅｎｕ］キー１４ａが操作された場合には（ステップＡ１８（Ｙｅｓ））、前記図８（Ａ）で示した初期メニュー画面ＧＭの表示に戻る（ステップＳ１）。
【００７０】
なお、本装置の裏面に設けられたリセット釦１５が操作されると、制限モードデータメモリ２６ｃに制限モードデータに“０”以外の数値が記憶されている制限モードであるか否かが判断される（ステップＲ１）。
【００７１】
そして、制限モードに設定されている状態であると判断された場合には（ステップＲ１（Ｙｅｓ））、リセット処理はされない。
【００７２】
一方、制限モードに設定されていないと判断された場合には（ステップＲ１（Ｎｏ））、リセット処理が行われる（ステップＲ２）。
【００７３】
このように、制限モードに設定された状態では、リセット釦１５が操作されても初期状態に再設定されるのが禁止されるので、試験時に制限モードを設定した後、ユーザである学生がリセットにより制限モードを解除し、禁止された機能を利用するようなことはできない。
【００７４】
したがって、前記構成の電子辞書装置１０によれば、制限機能を設定する際には、各制限項目とその制限の設定状態とを一覧にした前記制限項目一覧画面ＧＲをタッチパネル表示部１６に表示させ、例えば試験中に使用の制限が必要な制限項目を選択的に指定させる。そして、制限モードに設定された状態では、その制限内容に応じた制限表記番号と制限表記色からなる前記制限モード表示Ｒが行われ、前記機能制限の解除画面ＧＤから制限モードの解除が指示されると、当該制限モードの解除を意味する電子音が一定時間報音される。
【００７５】
このため、例えば先生の指導のもと、試験中に使用の制限が必要な制限項目を選択して指定できるだけでなく、前記制限モード表示Ｒによって先生は容易且つ明確に本装置の制限モードの設定状態を常に確認することができる。しかも制限モードを解除すると、そのことが電子音によって報音されるので、本電子辞書装置１０を教育現場には勿論、試験においても効果的に使用することができる。
【００７６】
なお、前記各実施形態において記載した電子辞書装置１０による各処理の手法、すなわち、図４のフローチャートに示す電子辞書の全体処理、図５のフローチャートに示す前記全体処理における辞書検索処理、図６のフローチャートに示すリセット処理等の各手法は、何れもコンピュータに実行させることができるプログラム（２２ａ）として、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録装置の媒体（２３）に格納して配布することができる。そして、辞書機能を備えた電子機器のコンピュータ（制御装置２１）は、この外部記憶装置の媒体（２３）に記憶されたプログラム（２２ａ）を記憶装置（２２）に読み込み、この読み込んだプログラム（２２ａ）によって動作が制御されることにより、前記各実施形態において説明した電子辞書での機能制限機能を実現し、前述した手法による同様の処理を実行することができる。
【００７７】
また、前記各手法を実現するためのプログラムのデータ（２２ａ）は、プログラムコードの形態として通信ネットワーク（Ｎ）上を伝送させることができ、この通信ネットワーク（Ｎ）に接続されたコンピュータ装置（プログラムサーバ３０）から前記プログラムのデータ（２２ａ）を、辞書機能を備えた電子機器に取り込んで記憶装置（２２）に記憶させ、前述した電子辞書での機能制限機能を実現することもできる。
【００７８】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００７９】
以下に、本願出願の当初の特許請求の範囲に記載された発明を付記する。
【００８０】
［１］
機能制限の対象となる項目の一覧を表示部に表示させる制限項目一覧表示制御手段と、
この制限項目一覧表示制御手段により表示された項目の一覧からユーザ操作に応じて機能制限する項目を選択させる制限項目選択手段と、
この制限項目選択手段により選択された項目の機能が制限された状態で、当該選択された項目の機能が制限されていることを示す表示を行う制限状態表示制御手段と、
ユーザ操作に応じて前記機能が制限された状態を解除する制限状態解除手段と、
この制限状態解除手段により制限を解除する際に一定時間報音する報音手段と、
を備えたことを特徴とする電子辞書装置。
【００８１】
［２］
装置本体を初期状態に再設定する際に操作されるリセット釦と、
前記機能が制限された状態での前記リセット釦の操作を無効にするリセット無効制御手段と、
を備えたことを特徴とする［１］に記載の電子辞書装置。
【００８２】
［３］
前記表示部に表示された辞書の説明情報の中で指定された単語について、ジャンプ先として表示される辞書一覧の中から指定された辞書を用いて辞書検索するジャンプ辞書検索手段と、
前記機能が制限された状態では、前記ジャンプ辞書検索手段により表示される辞書一覧の中から、前記制限項目選択手段により選択された制限項目の機能に対応した辞書名を削除するジャンプ先辞書制限手段と、
を備えたことを特徴とする［１］または［２］に記載の電子辞書装置。
【００８３】
［４］
前記機能制限の対象となる項目には、少なくとも単語帳機能または検索履歴機能が含まれることを特徴とする［１］ないし［３］の何れかに記載の電子辞書装置。
【００８４】
［５］
ユーザ操作に応じて辞書を指定する辞書指定手段と、
前記機能が制限された状態で、前記辞書指定手段により指定された辞書が前記制限項目選択手段により選択された制限項目の機能に対応した辞書である場合には、当該辞書の使用が制限されていることを報知する制限報知手段と、
を備えたことを特徴とする［１］ないし［４］の何れかに記載の電子辞書装置。
【００８５】
［６］
前記制限状態表示制御手段は、前記制限項目選択手段により選択された制限項目の機能が制限された状態で、当該制限項目に応じて異なる色の表示を前記表示部に表示させる、
ことを特徴とする［１］ないし［５］の何れかに記載の電子辞書装置。
【００８６】
［７］
辞書機能を備えた電子機器のコンピュータを制御するためのプログラムであって、
前記コンピュータを、
機能制限の対象となる項目の一覧を表示部に表示させる制限項目一覧表示制御手段、
この制限項目一覧表示制御手段により表示された項目の一覧からユーザ操作に応じて機能制限する項目を選択させる制限項目選択手段、
この制限項目選択手段により選択された項目の機能が制限された状態で、当該選択された項目の機能が制限されていることを示す表示を行う制限状態表示制御手段、
ユーザ操作に応じて前記機能が制限された状態を解除する制限状態解除手段、
この制限状態解除手段により制限を解除する際に一定時間報音する報音手段、
として機能させるためのコンピュータ読み込み可能なプログラム。
【符号の説明】
【００８７】
１０  …電子辞書装置
１４  …キー入力部
１４ａ…［Ｍｅｎｕ］キー
１４ｂ…［Ｊｕｍｐ］キー
１４ｃ…［決定］キー
１４ｄ…［戻る］キー
１５  …リセット釦
１６  …タッチパネル表示部
２１  …ＣＰＵ
２２  …記憶装置
２２ａ…装置制御プログラム
２２ｂ…辞書データベース
２２ｃ…検索履歴データベース
２２ｄ…単語帳データ
２２ｅ…制限機能情報
２３  …外部記録媒体
２４  …記録媒体読み取り部
２５  …通信部
２６  …ＲＡＭ
２６ａ…表示データメモリ
２６ｂ…検索語データメモリ
２６ｃ…制限モードデータメモリ
３０  …Ｗｅｂサーバ
【図１】
2015090686.tif 000003
【図２】
2015090686.tif 000004
【図３】
2015090686.tif 000005
【図４】
2015090686.tif 000006
【図５】
2015090686.tif 000007
【図６】
2015090686.tif 000008
【図７】
2015090686.tif 000009
【図８】
2015090686.tif 000010
【図９】
2015090686.tif 000011